(57)【要約】【課題】簡単な構成で確実に悪臭の拡散を防止できる生ゴミ等の一時保管用の収納容器を提供すること。【解決手段】マンガン、コバルト、銅、ニッケル、亜鉛のうち少なくとも一種類を含む金属酸化物とゼオライト、シリカ、アルミナのうち少なくとも一種類を含む吸着材とを有するとともに、臭気を吸着する吸着体４と、前記吸着材に空気を供給する送風機５とを備える構成とした。これにより、マンガン、銅、コバルト等の複合酸化物と疎水性の合成ゼオライトを担持した吸着体４は、生ゴミ２から発生する硫化水素、メチルメルカプタン、アンモニアなどの悪臭物質を吸着するので、容器蓋３が開けられたとしても内部の臭いは低減されており、簡単な構成で確実に悪臭の拡散を防止できるものである。【選択図】　図１
2004043098.tif 000002
【特許請求の範囲】
【請求項１】
マンガン、コバルト、銅、ニッケル、亜鉛のうち少なくとも一種類を含む金属酸化物とゼオライト、シリカ、アルミナのうち少なくとも一種類を含む吸着材とを有するとともに、臭気を吸着する吸着体と、前記吸着材に空気を供給する送風機とを備えた収納容器。
【請求項２】
送風機は吸着材に収納容器内の空気を供給し、吸着材を通過した空気は収納容器内に開放される請求項１に記載の収納容器。
【請求項３】
送風機は吸着材に収納容器内の空気を供給し、吸着材を通過した空気を収納容器外に排出する請求項１に記載の収納容器。
【請求項４】
送風機は一定時間ごとに吸着材に収納容器内の空気を供給する請求項１ないし３のいずれか１項に記載の収納容器。
【請求項５】
送風機および吸着材は収納容器内に設けた請求項１ないし４のいずれか１項に記載の収納容器。
【請求項６】
送風機および吸着材は収納容器外に設けた請求項１ないし４のいずれか１項に記載の収納容器。
【請求項７】
人が近づいたことを検知する人体検知センサを備えた請求項１ないし６のいずれか１項に記載の収納容器。
【請求項８】
人体検知センサが作動した後に一定時間だけ送風機を運転する請求項７に記載の収納容器。
【発明の詳細な説明】
【０００１】
【発明の属する技術分野】
本発明は生ゴミ等を処分するまでに一時保管するための生ゴミ等の収納容器に関するものである。
【０００２】
【従来の技術】
一般家庭、飲食業、学校、病院、老人養護施設などでは、日々、生ゴミが出る。生ゴミは回収処理あるいは焼却処分するまで、一時的に蓋付き容器などに保管しておくのが一般的である。つまり１〜３、４日程度は、おむつを保管容器に貯めておくことになり、新たに生ゴミを投入したり、全部取り出すために蓋を開けると、悪臭が漂い、非常に不快であった。
【０００３】
このような悪臭を防ぐ技術としては、芳香剤や消臭剤などの薬剤散布が一般的である。しかし薬剤の効果は一過性であり、その都度散布するなどしなくてはならない。また、芳香剤はそれ自体の臭いが特有なものであり、誰にとっても好ましいものではない。
【０００４】
あるいは活性炭を用いて臭気を吸着させる技術もある。しかし活性炭は臭気を十分に吸着できる容量が少なく、何度も取り替えなければならない欠点がある。
【０００５】
また、特開２０００−２１１６１６号公報や特開２０００−２４７４０１号公報のように、包装材で臭気源を密閉させて悪臭の拡散を防ぐものもあるが、複雑な機構を有するものなので簡便で安価な手段であるとは言い難い。
【０００６】
【発明が解決しようとする課題】
本発明は、上記のように悪臭防止手段が、不完全なものである、あるいは簡単な構造でないといった課題に鑑みてなされたものであり、その目的とするところは、簡単な構成で確実に悪臭を防ぎ、何度も部品を取り替えなければならないといった手間を省いた生ゴミ等の一時保管用の収納容器を提供するものである。
【０００７】
【課題を解決するための手段】
上記課題を達成するために本発明は、マンガン、コバルト、銅、ニッケル、亜鉛のうち少なくとも一種類を含む金属酸化物とゼオライト、シリカ、アルミナのうち少なくとも一種類を含む吸着材とを有するとともに、臭気を吸着する吸着体と、前記吸着材に空気を供給する送風機とを備えた収納容器としたものである。
【０００８】
上記構成により、金属酸化物の吸着作用によって、硫化水素を化学吸着し、またその触媒作用により、同じく代表臭気であるメチルメルカプタンを比較的臭いの少ない二硫化ジメチルに転化させることができるものである。これら金属の複合酸化物による吸着は、活性炭に比べより多くの臭気を吸着させることができるので、その寿命は長く、この吸着体を頻繁に取り替える必要が無くなるものである。一方、転化した二硫化ジメチルやその他の臭気ガスは、吸着材によって物理吸着される。
【０００９】
【発明の実施の形態】
請求項１に記載の発明は、マンガン、コバルト、銅、ニッケル、亜鉛のうち少なくとも一種類を含む金属酸化物とゼオライト、シリカ、アルミナのうち少なくとも一種類を含む吸着材とを有するとともに、臭気を吸着する吸着体と、前記吸着材に空気を供給する送風機とを備えた収納容器としたものである。
【００１０】
生ゴミから発生する臭気のうち、最も代表的なものはメチルメルカプタンである。これは硫黄を核とした分子であり、この硫黄は金属酸化物、とくにマンガン、コバルト、銅、ニッケル、亜鉛などに吸着されやすい。容器内にこれらの金属酸化物を担持した吸着体を有することによって、メチルメルカプタンは吸着されるが、金属酸化物の触媒作用により二硫化ジメチルへと転化する。この二硫化ジメチルはメチルメルカプタンよりも臭気閾値が高い（すなわち、感じられる臭いが弱い）ので、容器内の悪臭は低減されることになる。また、これら金属の複合酸化物による吸着は、活性炭に比べより多くの臭気を吸着させることができるので、その寿命は長く、この吸着体を頻繁に取り替える必要が無くなるものである。
【００１１】
また、二硫化ジメチルおよびその他のガスは、吸着材によって吸着される。そして吸着材は、通常の大気を数時間、通気させることによって、再生することができる。
【００１２】
請求項２に記載の発明は、特に、請求項１に記載の送風機が、吸着材に収納容器内の空気を供給し、吸着材を通過した空気は収納容器内に開放されるようにしたものである。こうすることによって常に収納容器内の臭気を抑制できる。
【００１３】
請求項３に記載の発明は、特に、請求項１に記載の送風機が、吸着材に収納容器内の空気を供給し、吸着材を通過した空気を収納容器外に排出するようにしたものである。これによって収納容器内に外気が流入することになり、臭気濃度が低減し、吸着材の負荷が軽減される。また、長時間これを続けると、臭気濃度はさらに低減する。
【００１４】
請求項４に記載の発明は、特に、請求項１ないし３のいずれか１項に記載の送風機が、一定時間ごとに吸着材に収納容器内の空気を供給するようにしたものである。これによって、吸着材の寿命を長くすることができる。
【００１５】
請求項５に記載の発明は、特に、請求項１ないし４のいずれか１項に記載の送風機および吸着材を、収納容器内に設けたものである。こうすることによって、臭気の漏洩等を防止できる。
【００１６】
請求項６に記載の発明は、特に、請求項１ないし４のいずれか１項に記載の送風機および吸着材を、収納容器外に設けたものである。こうすることによって、収納容器の容積を十分に確保できる。
【００１７】
請求項７に記載の発明は、特に、請求項１ないし６のいずれか１項に記載の発明に加えて、人が近づいたことを検知する人体検知センサを備えたものである。これによって、常に収納容器内に臭気を低減できる状態を確保できる。
【００１８】
請求項８に記載の発明は、特に、請求項７に記載の人体検知センサが作動した後に一定時間だけ送風機を運転するようにしたものである。これによって、省エネルギを伴った脱臭ができるようになる。
【００１９】
【実施例】
以下本発明の実施例について図面を参照しながら説明する。
【００２０】
（実施例１）
図１において１は生ゴミ等の収納容器本体であり、中に生ゴミ２（例えば野菜くず、残飯など）を収納し、開口したその上面部を容器蓋３によって密閉される構造となっている。吸着体４は収納容器本体１の内側に設けている。吸着体４は多孔質のハニカム体であり、表面にマンガン、銅、コバルトの複合酸化物（ダイピロキサイド＃７８１０　大日精化）と疎水性の合成ゼオライト（アブセンツ３０００　ユニオン昭和）を１体１の割合で、コロイダルシリカ（スノーテックスＯＵＰ　日産化学）２％をバインダーとして、０．１０ｇ／ｃｃの密度で担持させたものである。送風機５は容器内の空気を吸着体４に供給する手段である。６は人体センサであり、光感応型で前方に人が近づくなりするとそれを検知し、制御部７へ信号を送る。制御部７は、送風機５の駆動を制御している。送風機５は押込方式でも、吸引方式でもよいが、脱臭の場合は吸引が好ましい。
【００２１】
次に具体的な使用例に基づいて、これらの動作を説明する。
【００２２】
使用者は容器蓋３を開けて生ゴミ２などを収納容器本体１に投入し、容器蓋３を閉じる。生ゴミ２は微生物の活動により、腐敗しながら悪臭を放ち始める。この悪臭の成分は主に、メチルメルカプタン、硫化メチル、アンモニア、硫化水素である。これら悪臭成分は拡散とともに容器内に充満し、吸着体４に達する。この吸着体４は表面にマンガン、銅、コバルトの複合酸化物が担持されており、この表面で悪臭成分の中の硫化水素が化学吸着され除去される。また、メチルメルカプタンは二硫化ジメチルに転化される。
【００２３】
また、これら金属の複合酸化物による吸着は、活性炭に比べ吸着できる悪臭物質の量が多いので、この吸着体４を頻繁に取り替える必要もない。
【００２４】
この吸着体４表面には疎水性ゼオライトが担持されており、ここで多くの臭気物質が吸着されるのである。転化された二硫化ジメチルおよびアンモニアは物理吸着され除去される。このような複合作用によって悪臭原因の主な三物質が除去されるので、容器内部の臭いレベルはかなり低減されるものとなる。
【００２５】
また、送風機５により、悪臭物質は積極的に吸着材４に接触されることになるので、脱臭効率はさらに増す。この送風機５が無ければ、悪臭物質の拡散によってでしか吸着材へ接触できないからである。
【００２６】
しかし、送風機５を常時運転させておくと、電力の消費が大きくなるので、大きな電池を搭載するか、ＡＣ電源に接続する必要が発生する。そうしないためにも、本発明のような人体センサ６を設けることは有効な手段である。この人体センサ６は人が近づくと反応し、その信号を制御部７へ送る。制御部７ではその信号を受けると、送風機５に電力を供給する。このようにすることで、人が近づいたときに、送風機５が運転するようにしていれば、その人がもしも容器蓋３を開けても、内部の臭気は直前に脱臭された後なので臭いで不快になることもない。
【００２７】
また制御部７には時間計測手段もあり、例えば１０分間送風機５を作動させた後、５０分間は送風機５を停止させておくといった制御もおこなえるのである。送風機５を常時作動させずに間欠的に脱臭しておいて、収納容器本体１内部の臭気レベルを低く保っておき、人が近づいたときにも一時的に送風機５を作動させることにより、容器蓋３を開けられたとしても直前に脱臭しているので、臭いの不快感は無いものである。しかも、送風機５自体は常時作動しているわけではないので、小さい電池を搭載しておくだけでも十分なものである。
【００２８】
（実施例２）
本実施例は、吸着体４、送風機５および制御部７を収納容器本体１の外に出した例である。
【００２９】
収納容器本体１からの臭気は、ダクト８を通じて吸着体４に供給される。吸着体４を通過した空気は、収納容器本体１外に排気される。もちろん、実施例１のように収納容器本体１の内部に設け、排気だけを収納容器の外に排出してもよい。収納容器本体１内は空気の一部が排気されることによって減圧し、容器蓋３などの隙間から外気が侵入する。この外気によって、収納容器本体１内の臭気は低減される。その結果、吸着体４の脱臭負荷は軽減される。この状態が続くと、吸着体４に供給される空気は、清浄になり、吸着体４に吸着していた臭気ガスは少しずつ脱着する。そのため、吸着体４は再生される。脱着するガスはわずかであるので、臭うことはない。なお、収納容器本体１に外気を導入する通気口９を設けてもよいが、必要以上に多くすると臭気が漏洩する可能性があるので注意を要する。
【００３０】
【発明の効果】
金属酸化物やゼオライトなどが、メチルメルカプタン・アンモニアおよび硫化水素などを効率よく除去するので、容器内の悪臭は低減されることになる。また本発明による吸着体は、悪臭物質の吸着容量が活性炭に比べ大きいので、その活性が長続きし、吸着体を頻繁に取り替える必要もない。また、排気を収納容器本体外にすることによって、吸着材の寿命を伸ばすことができる。
【図面の簡単な説明】
【図１】本発明の実施例１における収納容器の構成を示す概念図
【図２】本発明の実施例２における収納容器の構成を示す概念図
【符号の説明】
１　収納容器本体
２　生ゴミ
３　容器蓋
４　吸着体
５　送風機
６　人体センサ
７　制御部
【図１】
2004043098.tif 000003
【図２】
2004043098.tif 000004